(57)【特許請求の範囲】
【請求項１】
直方体状をなし昇降路を昇降するかごと、このかごの鉛直面を形成する一面に装備されてこの一面に対面した上記昇降路壁面に設けられた案内レールに昇降可能に係合された案内装置と、上記かごの鉛直面を形成する他の三面にそれぞれ設けられて上記昇降路の出し入れ口の高さに対応した高さに形成された出し入れ口と、上記かごの要部を構成し上記案内装置が設けられた鉛直面を形成した壁板、上記かごの他の要部を構成し上記壁板の上縁に一側が固定されて板面が上記壁板に直交して配置された天井板及び上記かごの他の要部を構成し上記壁板の下縁に一側が固定されて板面が上記壁板に直交して配置された床板によって構成されて上記昇降路壁面に設けられた出し入れ口幅よりも狭幅に形成されたコ字状構造体並びに上記かごの他の要部を構成し上記天井板及び床板の上記壁板と対向する隅部にそれぞれ配置されて上端が上記天井板に下端は上記床板に着脱可能に締結された連結柱とを備えた小荷物専用昇降装置。
【発明の詳細な説明】
【０００１】
【発明の属する技術分野】
この発明は、建物に設けられた昇降路に案内レールが立設され、かごが案内レールに案内されて昇降する小荷物専用昇降装置に関する。
【０００２】
【従来の技術】
図５及び図６は、従来の小荷物専用昇降装置を示す図で、図５は要部を概念的に示す斜視図、図６は図５の小荷物専用昇降装置における昇降路を含む横断平面図である。図において、１は建物に設けられた昇降路で、横断面において矩形をなし互いに接続した二壁面は耐力壁２によって構成され、耐力壁２に対面した他の二壁面は非耐力壁３によって構成されている。４は非耐力壁３のそれぞれに設けられて建物の階床に対応して配置された出し入れ口である。
【０００３】
５は耐力壁２の一面に互いに離れて立設されたかご用案内レール、６は耐力壁２の他面に互いに離れて立設されたつり合おもり用案内レール、７は昇降路１を昇降するかごで、かご用案内レール５に昇降可能に係合した案内具８、昇降路１の出し入れ口４のそれぞれに対応した出し入れ口９及び案内具８側の外面に設けられたかご側着床装置１０が装備されている。
【０００４】
１１は昇降路１に設けられてかご側着床装置１０に対応して配置された昇降路側着床装置、１２はつり合おもり用案内レール６に昇降可能に係合した案内具を装備したつり合おもり、１３は昇降路１頂部に設けられた巻上機で、駆動綱車１４が設けられている。１５は駆動綱車１４に巻掛けられて一端にかご７を、他端につり合おもり１２を吊持した主索である。
【０００５】
従来の小荷物専用昇降装置は上記のように構成され、かご７の互いに接続した鉛直面に出し入れ口９が設けられて、かご７が建物の階床に停止すると昇降路１に設けられた出し入れ口４に対応する。そして、巻上機１３が付勢される駆動綱車１４が回転して主索１５を介してかご７及びつり合おもり１２が互いに反対方向に昇降し、かご７に積載された小荷物を搬送するようになっている。
【０００６】
【発明が解決しようとする課題】
上記のような従来の小荷物専用昇降装置では、昇降路１に互いに接続して形成された耐力壁２の一面によりかご７の昇降を案内し、耐力壁２の他面によりつり合おもり１２の昇降を案内するように構成されている。このため、かご７の鉛直面に設けられる出し入れ口９が二箇所に制限されるので、建物における小荷物昇降装置としての利便性向上が妨げられるという問題点があった。
【０００７】
この発明は、かかる問題点を解消するためになされたものであり、簡易な構成であってかごの鉛直面の三面に出し入れ口を設置することができる小荷物専用昇降装置を得ることを目的とする。
【０００８】
【課題を解決するための手段】
この発明に係る小荷物専用昇降装置においては、直方体状をなし昇降路を昇降するかごと、このかごの鉛直面を形成する一面に装備されてこの一面に対面した昇降路壁面に設けられた案内レールに昇降可能に係合された案内装置と、かごの鉛直面を形成する他の三面にそれぞれ設けられて昇降路の出し入れ口の高さに対応した高さに形成された出し入れ口と、かごの要部を構成し案内装置が設けられた鉛直面を形成した壁板、かごの他の要部を構成し壁板の上縁に一側が固定されて板面が壁板に直交して配置された天井板及びかごの他の要部を構成し壁板の下縁に一側が固定されて板面が壁板に直交して配置された床板によって構成されて昇降路壁面に設けられた出し入れ口幅よりも狭幅に形成されたコ字状構造体並びにかごの他の要部を構成し天井板及び床板の壁板と対向する隅部にそれぞれ配置されて上端が天井板に下端は床板に着脱可能に締結された連結柱とが設けられる。
【０００９】
【発明の実施の形態】
実施の形態１．
図１〜図４は、この発明の実施の形態の一例を示す図で、図１は要部を概念的に示す斜視図、図２は図１の小荷物専用昇降装置における昇降路を含む横断平面図、図３は図１におけるかご廻りを概念的に示す斜視図、図４は図１のかごを昇降路へ搬入する状況を説明する図である。
【００１０】
図において、１は建物に設けられた昇降路で、横断面における一面が耐力壁２によって構成され、他の三面の壁は非耐力壁３によって構成されている。４は非耐力壁３に設けられて建物の階床に対応して配置された出し入れ口で、建物の階床における必要度によって非耐力壁３の一面〜三面に適宜に形成される。５は耐力壁２に互いに離れて立設されたかご用案内レールである。
【００１１】
７は昇降路１を昇降するかごで、直方体状をなし耐力壁２に対向して配置される壁板１６、壁板１６の上縁に一側が固定されて板面が壁板１６に直交して配置された天井板１７、壁板１６の下縁に一側が固定されて板面が壁板１６に直交して配置された床板１８並びに天井板１７及び床板１８の壁板１６と対向する隅部にそれぞれ配置されて上端が天井板１７に下端は床板１８にそれぞれ着脱可能に締結された連結柱１９によって構成されている。
【００１２】
２０は壁板１６、天井板１７及び床板１８の三者によって形成され側面においてコ字状をなし、かご７の要部を構成するコ字状構造体である。なお、コ字状構造体２０の構成部材、すなわち壁板１６、天井板１７及び床板１８の三者はそれぞれ一体的構造又はラーメン構成の板材によって形成され、また上記三者は相互の接続部において強固に固定されてかご７における剛性が確保される。
【００１３】
なお、かご７の連結柱１９側に対向して配置された昇降路１の出し入れ口４の少なくとも一つは、対応するかご７の外法間口寸法よりも広い出し入れ口幅寸法に形成される。
８はかご７の壁板１６外面に装着されてかご用案内レール５に昇降可能に係合した案内具、９は昇降路１の出し入れ口４のそれぞれに対応してかご７に設けられた出し入れ口である。
【００１４】
１０はかご７の壁板１６外面に装着されたかご側着床装置、１１は昇降路１に設けられてかご側着床装置１０に対応して配置された昇降路側着床装置である。２１は昇降路１頂部に設けられた滑車、２２は昇降路１底部に設けられた巻上機で、巻胴２３が設けられている。１５は巻胴２３に巻掛けられて上方に吊設され、滑車２１巻掛けられて下降してかご７を吊持した主索である。２４は昇降路１の非耐力壁３に装着されて出し入れ口４の縁部を構成する出し入れ口枠である。
【００１５】
上記のように構成された小荷物専用昇降装置において、昇降路１の耐力壁２にかご用案内レール５が設けられ、また耐力壁２に対向したかご７の壁板１６に案内具８、かご側着床装置１０が装備される。そして、かご７の壁板１６以外の鉛直面の三面にそれぞれ出し入れ口９が設けられ、昇降路１には建物の階床において必要に応じて、かご７に設けられた全て又は一部の出し入れ口９に対応した出し入れ口４が適宜に配置される。そして、巻上機２２が付勢される巻胴２３が回転して主索１５を介してかご７が昇降し建物の階床に停止して、かご７に積載された小荷物が搬送される。
【００１６】
このように、小荷物専用昇降装置が構成されることによって、かご７の鉛直面の三面にそれぞれ出し入れ口９を設けることができる。また、かご７に設けられた出し入れ口９の全て又は一部に対応して、建物の階床において必要に応じて昇降路１に出し入れ口４を適宜に設置することができる。このため、簡易な構成であってかご７の鉛直面の三面に対応して適宜に昇降路１に出し入れ口４を設けることができ、小荷物昇降装置としての利便性を向上することができる。
【００１７】
なお、かご７は次に述べるようにして昇降路１内へ搬入される。すなわち、図４に示すかご７の出し入れ口９有効高さＡと昇降路１の出し入れ口４有効高さＢとはほぼ同寸法に製作される。そして、かご７の連結柱１９を取り外してコ字状構造体２０のみが傾斜した姿勢で一側が、昇降路１の出し入れ口４に挿入される。次いで、コ字状構造体２０におけるコ字の凹所により図４に示すように、出し入れ口枠２４の下縁部を跨ぐ状態で出し入れ口４を通過して昇降路１内へ搬入される。
【００１８】
そして、昇降路１内において連結柱１９の締結、かご用案内レール５への係合等の作業が行われる。このため、昇降路１の完成後に出し入れ口４を経て、容易にかご７を昇降路１に搬入して据付けることができる。したがって、据付工事の工程の自由度が向上して建築工程による制約が減少し、据付工事を能率化することができる。
【００１９】
また、図１〜図４の実施の形態において、出し入れ口枠２４が装備された昇降路１の非耐力壁３を、予め工場において製作して据付現場に搬入する。そして、据付現場で出し入れ口枠２４が装備された非耐力壁３を組み立てて昇降路１を構築する工法をとることも可能である。このような工法によって、据付現場での作業を少なくすることができて据付費を低減することができる。
【００２０】
また、図１〜図４の実施の形態において、前述の図５に示すようなつり合おもり１２を設ける構成である場合には、図２におけるかご用案内レール５の反かご７側に前述のつり合おもり１２用のスペースが形成される。そして、昇降路１の頂部に前述の巻上機１３が設置されて主索１５を介してかご７とつり合おもり１２の両者が吊持されてこれらの両者が互いに反対方向へ運転される。このような装置構成の場合であっても、図１〜図４の実施の形態における作用を得ることができる。
【００２１】
【発明の効果】
この発明は以上説明したように、直方体状をなし昇降路を昇降するかごと、このかごの鉛直面を形成する一面に装備されてこの一面に対面した昇降路壁面に設けられた案内レールに昇降可能に係合された案内装置と、かごの鉛直面を形成する他の三面にそれぞれ設けられて昇降路の出し入れ口の高さに対応した高さに形成された出し入れ口と、かごの要部を構成し案内装置が設けられた鉛直面を形成した壁板、かごの他の要部を構成し壁板の上縁に一側が固定されて板面が壁板に直交して配置された天井板及びかごの他の要部を構成し壁板の下縁に一側が固定されて板面が壁板に直交して配置された床板によって構成されて昇降路壁面に設けられた出し入れ口幅よりも狭幅に形成されたコ字状構造体並びにかごの他の要部を構成し天井板及び床板の壁板と対向する隅部にそれぞれ配置されて上端が天井板に下端は床板に着脱可能に締結された連結柱とを設けたものである。
【００２２】
これによって、直方体状のかごの鉛直面の三面にそれぞれ出し入れ口を設け、またかごに設けられた出し入れ口の全て又は一部に対応して、建物の階床において必要に応じて昇降路に出し入れ口を適宜に設置することができる。したがって、簡易な構成であってかごの鉛直面の三面に対応して適宜に昇降路に出し入れ口の設置が可能になり、小荷物昇降装置としての利便性を向上する効果がある。
【００２３】
また、対応するかごの外法間口よりも幅広の昇降路の出し入れ口が設けられて、かごの連結柱を取り外してコ字状構造体のみが傾斜した姿勢で、昇降路の出し入れ口に挿入される。次いで、コ字状構造体におけるコ字の凹所により出し入れ口枠の下縁部を跨ぐ状態で出し入れ口を通過してコ字状構造体が昇降路内へ搬入される。これによって、昇降路の完成後であっても昇降路の出し入れ口を経て、容易に昇降路にコ字状構造体を搬入できてかごを据付けることができる。したがって、据付工事の工程の自由度が向上して建築工程による制約が減少し、据付工事を能率化する効果がある。
【図面の簡単な説明】
【図１】この発明の実施の形態１を示す図であり、要部を概念的に示す斜視図。
【図２】図１の小荷物専用昇降装置における昇降路を含む横断平面図。
【図３】図１におけるかご廻りを概念的に示す斜視図。
【図４】図１のかごを昇降路へ搬入する状況を説明する図。
【図５】従来の小荷物専用昇降装置を示す図で、要部を概念的に示す斜視図。
【図６】図５の小荷物専用昇降装置における昇降路を含む横断平面図。
【符号の説明】
１  昇降路、２  耐力壁（昇降路壁面）、３  非耐力壁、５  かご用案内レール（案内レール）、７  かご、８  案内具、９  出し入れ口、１６  壁板（鉛直面）、１７  天井板、１８  床板、１９  連結柱、２０  コ字状構造体。
【図１】
0003595758.tif 000002
【図２】
0003595758.tif 000003
【図３】
0003595758.tif 000004
【図４】
0003595758.tif 000005
【図５】
0003595758.tif 000006
【図６】
0003595758.tif 000007